(57)【要約】【課題】光ディスクを回転させながらのディスクサーチを可能にすると共に、ピックアップの構成回路の性能ばらつきに左右されることなく光ディスクの種類を判別する。【解決手段】第１の反射光量比較及び第１の反射光量記憶ステップＳ５０５において、レーザーのスポット位置を光ディスクＤの下方から上方へとディスクサーチを行って、最初に所定の反射光量閾値以上となった第１の反射光量を記憶する。その後、第２の反射光量比較及び第２の反射光量記憶ステップＳ５０６において、前記スポット位置を前記光ディスクＤの上方から下方へとディスクサーチを行って、最初に前記所定の反射光量閾値以上となった第２の反射光量を記憶する。そして、反射光量比較ステップＳ５０７において、前記第１及び第２の反射光量を比較し、種別判断ステップＳ５０８において、前記の比較結果を用いてＳＡＣＤ  Ｈｙｂｒｉｄであるか否かの判別を行う。【選択図】図５
2007311005.tif 000002
【特許請求の範囲】
【請求項１】
複数のデータ記録層の各々の反射率間の比率が一定の比率を持つ光ディスクにレーザーを照射して反射光量を検出するレーザー出力手段と、前記レーザー出力手段を上下に移動させて、前記レーザーのスポットの上下位置を調整するフォーカスドライブ機構とを用いた光ディスク信号処理方法であって、
前記フォーカスドライブ機構を用いて、前記レーザーのスポット位置を光ディスクの下方から上方に上昇させながら、計測した反射光量と所定の反射光量閾値とを比較する第１の反射光量比較ステップと、
前記第１の反射光量比較ステップにおいて最初に前記所定の反射光量閾値以上となった第１の反射光量を記憶する第１の反射光量記憶ステップと、
前記フォーカスドライブ機構を用いて、前記レーザーのスポット位置を光ディスクの上方から下方に下降させながら、計測した反射光量と前記所定の反射光量閾値とを比較する第２の反射光量比較ステップと、
前記第２の反射光量比較ステップにおいて最初に前記所定の反射光量閾値以上となった第２の反射光量を記憶する第２の反射光量記憶ステップとを備えた
こと特徴とする光ディスク信号処理方法。
【請求項２】
前記請求項１記載の光ディスク信号処理方法において、
前記第１の反射光量と前記第２の反射光量とを比較する反射光量比較ステップと、
前記反射光量比較ステップでの比較結果に基づいて、光ディスクの種別を判断する種別判断ステップとを備えた
こと特徴とする光ディスク信号処理方法。
【請求項３】
前記請求項２記載の光ディスク信号処理方法において、
前記光ディスクは、Ｓｕｐｅｒ  Ａｕｄｉｏ  ＣＤ  Ｈｙｂｒｉｄである
ことを特徴とする光ディスク信号処理方法。
【請求項４】
前記請求項１記載の光ディスク信号処理方法において、
前記第１の反射光量と前記第２の反射光量とを比較する反射光量比較ステップと、
前記反射光量比較ステップでの比較結果に基づいて、前記第１の反射光量が光ディスクの表面反射による反射光量であることを判断する表面反射判断ステップとを備えた
ことを特徴とする光ディスク信号処理方法。
【請求項５】
前記請求項４記載の光ディスク信号処理方法において、
前記所定の反射光量閾値を段階的に大きくする
ことを特徴とする光ディスク信号処理方法。
【請求項６】
複数のデータ記録層の各々の反射率間の比率が一定の比率を持つ光ディスクにレーザーを照射して反射光量を検出するレーザー出力手段と、前記レーザー出力手段を上下に移動させて、前記レーザーのスポットの上下位置を調整するフォーカスドライブ機構とを用いた光ディスク信号処理方法であって、
前記フォーカスドライブ機構を用いて、前記レーザーのスポット位置を光ディスクの下方からディスク表面よりも所定距離以上上方に上昇させながら複数の反射光量を計測する反射光量計測ステップと、
前記反射光量計測ステップにおいて得られた複数の反射光量のうち、最も大きい第１の反射光量と、前記第１の反射光量の次に大きい第２の反射光量とを記憶する最大反射光量記憶ステップとを備えた
こと特徴とする光ディスク信号処理方法。
【請求項７】
前記請求項６記載の光ディスク信号処理方法において、
前記所定距離は１．２ｍｍである
ことを特徴とする光ディスク信号処理方法。
【請求項８】
前記請求項６又は７記載の光ディスク信号処理方法において、
前記第１の反射光量と前記第２の反射光量とを比較する反射光量比較ステップと、
前記反射光量比較ステップでの比較結果に基づいて、光ディスクの種別を判断する種別判断ステップとを備えた
こと特徴とする光ディスク信号処理方法。
【請求項９】
前記請求項８記載の光ディスク信号処理方法において、
前記光ディスクは、Ｓｕｐｅｒ  Ａｕｄｉｏ  ＣＤ  Ｈｙｂｒｉｄである
ことを特徴とする光ディスク信号処理方法。
【請求項１０】
前記請求項１又は６記載の光ディスク信号処理方法を用いた光ディスク信号再生方法であって、
得られた前記第１の反射光量と前記第２の反射光量とに基づいて、前記フォーカスドライブ機構を動作させる層を確定するための反射光量再生閾値を決定し、
前記レーザーのスポット位置を光ディスクの下方から上方に上昇させながら反射光量を計測すると共に、前記計測した反射光量と前記反射光量再生閾値とを比較し、
最初に前記反射光量再生閾値以上の反射光量を得たスポット位置から前記フォーカスドライブ機構を動作させる
ことを特徴とする光ディスク信号再生方法。
【請求項１１】
前記請求項１又は６記載の光ディスク信号処理方法を用いた光ディスク信号再生方法であって、
得られた前記第１の反射光量と前記第２の反射光量とに基づいて、前記フォーカスドライブ機構を動作させるデータ記録層を確定するための反射光量再生閾値を決定し、
前記レーザーのスポット位置を光ディスクの上方から下方に下降させながら反射光量を計測すると共に、前記計測した反射光量と前記反射光量再生閾値とを比較し、
最初に前記反射光量再生閾値以上の反射光量を得たスポット位置から前記フォーカスドライブ機構を動作させる
ことを特徴とする光ディスク信号再生方法。
【請求項１２】
複数のデータ記録層の各々の反射率間の比率が一定の比率を持つ光ディスクにレーザーを照射して反射光量を検出するレーザー出力手段と、前記レーザー出力手段を上下に移動させて、前記レーザーのスポットの上下位置を調整するフォーカスドライブ機構とを備えた光ディスク信号処理装置であって、
前記フォーカスドライブ機構を用いて、前記レーザーのスポット位置を光ディスクの下方から上方に上昇させながら、計測した反射光量と所定の反射光量閾値とを比較する第１の反射光量比較手段と、
前記第１の反射光量比較手段において最初に前記所定の反射光量閾値以上となった第１の反射光量を記憶する第１の反射光量記憶手段と、
前記フォーカスドライブ機構を用いて、前記レーザーのスポット位置を光ディスクの上方から下方に下降させながら、計測した反射光量と前記所定の反射光量閾値とを比較する第２の反射光量比較手段と、
前記第２の反射光量比較手段において最初に前記所定の反射光量閾値以上となった第２の反射光量を記憶する第２の反射光量記憶手段とを備えた
こと特徴とする光ディスク信号処理装置。
【請求項１３】
前記請求項１２記載の光ディスク信号処理装置において、
前記第１の反射光量と前記第２の反射光量とを比較する反射光量比較手段と、
前記反射光量比較手段での比較結果に基づいて、光ディスクの種別を判断する種別判断手段とを備えた
こと特徴とする光ディスク信号処理装置。
【請求項１４】
前記請求項１３記載の光ディスク信号処理装置において、
前記光ディスクは、Ｓｕｐｅｒ  Ａｕｄｉｏ  ＣＤ  Ｈｙｂｒｉｄである
ことを特徴とする光ディスク信号処理装置。
【請求項１５】
前記請求項１２記載の光ディスク信号処理装置において、
前記第１の反射光量と前記第２の反射光量とを比較する反射光量比較手段と、
前記反射光量比較手段での比較結果に基づいて、前記第１の反射光量が光ディスクの表面反射による反射光量であることを判断する表面反射判断手段とを備えた
ことを特徴とする光ディスク信号処理装置。
【請求項１６】
前記請求項１５記載の光ディスク信号処理装置において、
前記所定の反射光量閾値を段階的に大きくする
ことを特徴とする光ディスク信号処理装置。
【請求項１７】
複数のデータ記録層の各々の反射率間の比率が一定の比率を持つ光ディスクにレーザーを照射して反射光量を検出するレーザー出力手段と、前記レーザー出力手段を上下に移動させて、前記レーザーのスポットの上下位置を調整するフォーカスドライブ機構とを備えた光ディスク信号処理装置であって、
前記フォーカスドライブ機構を用いて、前記レーザーのスポット位置を光ディスクの下方からディスク表面よりも所定距離以上上方に上昇させながら複数の反射光量を計測する反射光量計測手段と、
前記反射光量計測手段において得られた複数の反射光量のうち、最も大きい第１の反射光量と、前記第１の反射光量の次に大きい第２の反射光量とを記憶する最大反射光量記憶手段とを備えた
こと特徴とする光ディスク信号処理装置。
【請求項１８】
前記請求項１７記載の光ディスク信号処理装置において、
前記所定距離は１．２ｍｍである
ことを特徴とする光ディスク信号処理装置。
【請求項１９】
前記請求項１７又は１８記載の光ディスク信号処理装置において、
前記第１の反射光量と前記第２の反射光量とを比較する反射光量比較手段と、
前記反射光量比較手段での比較結果に基づいて、光ディスクの種別を判断する種別判断手段とを備えた
こと特徴とする光ディスク信号処理装置。
【請求項２０】
前記請求項１９記載の光ディスク信号処理装置において、
前記光ディスクは、Ｓｕｐｅｒ  Ａｕｄｉｏ  ＣＤ  Ｈｙｂｒｉｄである
ことを特徴とする光ディスク信号処理装置。
【請求項２１】
前記請求項１２又は１７記載の光ディスク信号処理装置を用いた光ディスク信号再生装置であって、
前記第１の反射光量と前記第２の反射光量とに基づいて、前記フォーカスドライブ機構を動作させる層を確定するための反射光量再生閾値を決定し、
前記レーザーのスポット位置を光ディスクの下方から上方に上昇させながら反射光量を計測すると共に、前記計測した反射光量と前記反射光量再生閾値とを比較し、
最初に前記反射光量再生閾値以上の反射光量を得たスポット位置から前記フォーカスドライブ機構を動作させる
ことを特徴とする光ディスク信号再生装置。
【請求項２２】
前記請求項１２又は１７記載の光ディスク信号処理装置を用いた光ディスク信号再生装置であって、
前記第１の反射光量と前記第２の反射光量とに基づいて、前記フォーカスドライブ機構を動作させる層を確定するための反射光量再生閾値を決定し、
前記レーザーのスポット位置を光ディスクの上方から下方に下降させながら反射光量を計測すると共に、前記計測した反射光量と前記反射光量再生閾値とを比較し、
最初に前記反射光量再生閾値以上の反射光量を得たスポット位置から前記フォーカスドライブ機構を動作させる
ことを特徴とする光ディスク信号再生装置。
【発明の詳細な説明】
【技術分野】
【０００１】
本発明は、複数のデータ記録層を有する光ディスクに対応した光ディスク信号処理方法及び光ディスク信号再生方法並びに光ディスク信号処理装置及び光ディスク信号再生装置に関するものである。
【背景技術】
【０００２】
一般的に、光ディスクには、音声データや映像データが「ピット」と呼ばれるくぼみによって「０」又は「１」で現されるデジタルデータとして記録されており、このピット列を螺旋状に形成することで大容量のデータの記録が可能となり、大容量の記録媒体として広く利用されている。
【０００３】
光ディスク信号処理装置は、前記光ディスク内に記録されたデータを再生する装置であって、その内部には、光ディスクにレーザーを照射するレーザー光源と、前記レーザーにスポットを持たせる対物レンズと、前記スポットを光ディスクのデータ記録層で最小となるように調整するサーボ機構と、前記光ディスクから反射した反射光を集光して反射光量を検出するフォトディテクタとを有するピックアップが備えられ、前記ピックアップを用いて前記光ディスクから反射されたレーザーを受光することにより、前記光ディスクに記録されたデジタルデータを読み取って再生する。前記サーボ機構は、レーザーのスポットを光ディスクのデータ記録層で最小となるように制御するために前記対物レンズを前記データ記録層と垂直の方向に移動する機構（以下、フォーカスサーボと言う）を有する。
【０００４】
従来の光ディスクとして、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｃ）が広く知られている。前記ＣＤは、ディスク表面から約１．２ｍｍの位置にデータ記録層が形成されており、前記ＣＤに記録されたデータは、波長７８０ｎｍのレーザー及び開口数０．４５の対物レンズ（以下、ＣＤレーザーと言う）を用いて再生することが可能である。また、前記ＤＶＤは、ディスク表面から約０．６ｍｍの位置にデータ記録層が形成されており、前記ＤＶＤに記録されたデータは、波長６５０ｎｍのレーザー及び開口数０．６の対物レンズ（以下、ＤＶＤレーザーと言う）を用いて再生することが可能である。前記ＤＶＤには、２層のデータ記録層を有する２層ＤＶＤがあり、前記２層ＤＶＤはディスク表面から約０．６ｍｍの位置に２層のデータ記録層が形成されており、前記２層のデータ記録層の層間距離は５５μｍである。
【０００５】
近年、１ビット・ダイレクトストリームデジタル技術を採用したＳＡＣＤ（Ｓｕｐｅｒ  Ａｕｄｉｏ  ＣＤ）が開発され、前記ＳＡＣＤはディスク表面から約０．６ｍｍの位置にＨＤ層と呼ばれる高密度データ記録層が形成されており、前記ＤＶＤレーザーを用いてデータを読み取ることが可能である。前記ＨＤ層に記録されたデータは暗号化されており、そのデータの再生には専用のデコーダＬＳＩが必要となる。
【０００６】
さらに、ＳＡＣＤには、前記ＨＤ層に加えて、ＣＤ層と呼ばれるＣＤレーザーで再生可能なデータ記録層を有するＳＡＣＤ  Ｈｙｂｒｉｄが開発されている。前記ＳＡＣＤ  Ｈｙｂｒｉｄは、ＨＤ層及びＣＤ層の２層のデータ記録層から成る２層ディスクであって、前記ＨＤ層のデータ記録層が前記ＳＡＣＤ及び前記ＤＶＤと同様にディスク表面から約０．６ｍｍの位置に形成されていると共に、前記ＣＤ層のデータ記録層が前記ＣＤと同様にディスク表面から約１．２ｍｍの位置に形成されている。ここで、前記ＨＤ層の反射率は前記ＣＤ層の反射率の８０％以下となるように形成することが規格化されている。
【０００７】
近年では、前記ＣＤ及び前記ＤＶＤ及び前記ＳＡＣＤの再生に対応したＳＡＣＤ対応光ディスク信号処理装置において、前記光ディスク信号処理装置内にＳＡＣＤ  Ｈｙｂｒｉｄが載置された場合に、如何にして載置された光ディスクの種類を正しく判別するかという課題が顕著化している。
【０００８】
従来、ＣＤ及びＤＶＤの判別を行い、光ディスク内のデータを再生することが可能なＣＤ・ＤＶＤ対応光ディスク信号処理装置がある。以下に、前記ＣＤ・ＤＶＤ対応光ディスク信号処理装置の光ディスク判別方法を説明する。
【０００９】
まず、光ディスクが載置されていない状態でレーザーが照射されることを防ぐために、光ディスク信号処理装置内に光ディスクが載置されているかどうかを回転加速度によって検知する。前記ＣＤ・ＤＶＤ対応光ディスク信号処理装置には、ＣＤレーザーを有するピックアップ（以下、ＣＤピックアップと言う）と、ＤＶＤレーザーを有するピックアップ（以下、ＤＶＤピックアップと言う）とが備えられ、載置された光ディスクがＣＤ及びＤＶＤのどちらであるかを判別するために、前記ＣＤピックアップ又は前記ＤＶＤピックアップを用いて光ディスクにレーザーを照射しながらピックアップを上下に移動させ、スポット位置で得られた反射光をフォトディテクタで集光して反射光量を測定する。前記のレーザーの照射から反射光量の測定までの工程はディスクサーチと呼ばれ、前記ディスクサーチで得られた反射光量に基づいて、載置された光ディスクがＣＤ及びＤＶＤのどちらであるかを判別する。ディスクサーチは、載置された光ディスクのピット列の情報を読み込んで反射光量を測定するので、光ディスクを回転させながら行うことが一般的である。
【００１０】
しかしながら、ＳＡＣＤ  Ｈｙｂｒｉｄは、ＨＤ層及びＣＤ層の異なる反射率の２層のデータ記録層によって形成されているので、上記ＣＤ・ＤＶＤ対応光ディスク信号処理装置に用いられている光ディスク判別方法と同様の方法ではＳＡＣＤ  Ｈｙｂｒｉｄを判別することが困難である。このため、ＳＡＣＤ  Ｈｙｂｒｉｄに対応した様々な光ディスク判別方法が検討されている。
【００１１】
例えば、特許文献１には、ＳＡＣＤ  ＨｙｂｒｉｄのＨＤ層及びＣＤ層が、各々、ディスク表面から０．６ｍｍ、１．２ｍｍの位置に形成されている点に注目し、一定の速度でフォーカスサーボを上下に移動させてディスクサーチを行い、ＨＤ層及びＣＤ層の各々のデータ記録層のスポット位置が現れる時間を測定し、スポット位置が現れた時間差によってＳＡＣＤ  Ｈｙｂｒｉｄであるか否かを判別する技術が記載されている。
【００１２】
また、特許文献２では、フォーカスサーボを一定の速度で上下に移動させてディスクサーチを行い、２層のデータ記録層のスポット位置が現れた時のフォーカスサーボの駆動値を測定し、このフォーカスドライブの駆動値を用いてＳＡＣＤ  Ｈｙｂｒｉｄであるか否かを判別している。
【００１３】
さらに、特許文献３では、ＣＤ層はＣＤレーザーを多く反射し、ＨＤ層はＤＶＤレーザーを多く反射する点に注目し、ＣＤピックアップ及びＤＶＤピックアップの各々のピックアップを用いてディスクサーチを行い、両方のピックアップで一定以上の反射光量が得られたときにＳＡＣＤ  Ｈｙｂｒｉｄであると判別する。
【特許文献１】特開２０００−２９３９３２号公報
【特許文献２】特開２００４−２８８２９１号公報
【特許文献３】特開２００４−１４６０１６号公報
【発明の開示】
【発明が解決しようとする課題】
【００１４】
しかしながら、前記特許文献１記載の技術を用いた光ディスク判別方法では、ＨＤ層及びＣＤ層の各々のスポット位置が現れる時間差を用いて判別するが、ディスクを回転させるとディスク面にアップダウンが生じる面ブレディスクでは、ディスクを回転させながらディスクサーチを行うことができない。そのため、ディスクが載置されているか否かわからない状態でレーザーを照射する必要があるため、レーザーが外部に漏れるという課題があった。また、載置された光ディスクのディスク表面の表面反射を含めた反射光のスポット位置が現れる時間差に基づいて判別するので、表面反射の反射率の低いＳＡＣＤ  Ｈｙｂｒｉｄを、通常のＣＤやＤＶＤと誤って判別するという課題があった。
【００１５】
また、前記特許文献２記載の技術を用いた光ディスク判別方法では、データ記録層のスポット位置でのフォーカスサーボの駆動値を用いて判別するが、フォーカスサーボの駆動値を正確に得る必要があるので、特許文献１の技術と同様にディスクを回転させながらディスクサーチを行うことができない。また、フォーカスサーボの駆動値は、フォーカスサーボの感度やクランプ位置のばらつきによって一定ではないため、通常のＣＤやＤＶＤであってもＳＡＣＤ  Ｈｙｂｒｉｄと誤って判別する課題があった。
【００１６】
さらに、前記特許文献３記載の技術を用いた光ディスク判別方法では、ＣＤピックアップやＤＶＤピックアップのレーザーやフォトディテクタ、アナログ回路等の性能にばらつきがある場合、前記２つのピックアップを用いて光ディスクの判別を行うと、通常のＣＤやＤＶＤをＳＡＣＤ  Ｈｙｂｒｉｄであると誤って判別するという課題があった。また、ＳＡＣＤ  Ｈａｙｂｒｉｄのような一定以上の反射光量が得られるデータ記録層が複数形成されている光ディスク内のデータを読み取る場合、所望のデータ記録層とは異なるデータ記録層のデータを読み込んで再生するという課題があった。
【００１７】
本発明の目的は、前記の課題に着目してなされたものであり、その目的は、光ディスクを回転させながらのディスクサーチを可能にすると共に、ピックアップを構成する半導体集積回路等のばらつきに左右されることなく光ディスクの種類の判別を行い、所望のデータ記録層のデータを間違えることなく読み込んで再生することにある。
【課題を解決するための手段】
【００１８】
前記の目的を達成するために、本発明では、複数のデータ記録層の各々の反射率間の比率が一定の比率を持つ光ディスクに対応した光ディスク信号処理装置について、１つのレーザー出力手段を用いてディスクサーチを行い、光ディスクから反射された反射光のうち、所定の２つの反射光の反射光量を記憶して、前記２つの反射光量に基づいて光ディスクの種類の判別や所望のデータ記録層の再生を行う方法を採用する。
【００１９】
具体的に、請求項１記載の発明の光ディスク信号処理方法は、複数のデータ記録層の各々の反射率間の比率が一定の比率を持つ光ディスクにレーザーを照射して反射光量を検出するレーザー出力手段と、前記レーザー出力手段を上下に移動させて、前記レーザーのスポットの上下位置を調整するフォーカスドライブ機構とを用いた光ディスク信号処理方法であって、前記フォーカスドライブ機構を用いて、前記レーザーのスポット位置を光ディスクの下方から上方に上昇させながら、計測した反射光量と所定の反射光量閾値とを比較する第１の反射光量比較ステップと、前記第１の反射光量比較ステップにおいて最初に前記所定の反射光量閾値以上となった第１の反射光量を記憶する第１の反射光量記憶ステップと、前記フォーカスドライブ機構を用いて、前記レーザーのスポット位置を光ディスクの上方から下方に下降させながら、計測した反射光量と前記所定の反射光量閾値とを比較する第２の反射光量比較ステップと、前記第２の反射光量比較ステップにおいて最初に前記所定の反射光量閾値以上となった第２の反射光量を記憶する第２の反射光量記憶ステップとを備えたこと特徴とする。
【００２０】
請求項２記載の発明は、前記請求項１記載の光ディスク信号処理方法において、前記第１の反射光量と前記第２の反射光量とを比較する反射光量比較ステップと、前記反射光量比較ステップでの比較結果に基づいて、光ディスクの種別を判断する種別判断ステップとを備えたこと特徴とする。
【００２１】
請求項３記載の発明は、前記請求項２記載の光ディスク信号処理方法において、前記光ディスクは、Ｓｕｐｅｒ  Ａｕｄｉｏ  ＣＤ  Ｈｙｂｒｉｄであることを特徴とする。
【００２２】
請求項４記載の発明は、前記請求項１記載の光ディスク信号処理方法において、前記第１の反射光量と前記第２の反射光量とを比較する反射光量比較ステップと、前記反射光量比較ステップでの比較結果に基づいて、前記第１の反射光量が光ディスクの表面反射による反射光量であることを判断する表面反射判断ステップとを備えたことを特徴とする。
【００２３】
請求項５記載の発明は、前記請求項４記載の光ディスク信号処理方法において、前記所定の反射光量閾値を段階的に大きくすることを特徴とする。
【００２４】
請求項６記載の発明の光ディスク信号処理方法は、複数のデータ記録層の各々の反射率間の比率が一定の比率を持つ光ディスクにレーザーを照射して反射光量を検出するレーザー出力手段と、前記レーザー出力手段を上下に移動させて、前記レーザーのスポットの上下位置を調整するフォーカスドライブ機構とを用いた光ディスク信号処理方法であって、前記フォーカスドライブ機構を用いて、前記レーザーのスポット位置を光ディスクの下方からディスク表面よりも所定距離以上上方に上昇させながら複数の反射光量を計測する反射光量計測ステップと、前記反射光量計測ステップにおいて得られた複数の反射光量のうち、最も大きい第１の反射光量と、前記第１の反射光量の次に大きい第２の反射光量とを記憶する最大反射光量記憶ステップとを備えたこと特徴とする。
【００２５】
請求項７記載の発明は、前記請求項６記載の光ディスク信号処理方法において、前記所定距離は１．２ｍｍであることを特徴とする。
【００２６】
請求項８記載の発明は、前記請求項６又は７記載の光ディスク信号処理方法において、前記第１の反射光量と前記第２の反射光量とを比較する反射光量比較ステップと、前記反射光量比較ステップでの比較結果に基づいて、光ディスクの種別を判断する種別判断ステップとを備えたこと特徴とする。
【００２７】
請求項９記載の発明は、前記請求項８記載の光ディスク信号処理方法において、前記光ディスクは、Ｓｕｐｅｒ  Ａｕｄｉｏ  ＣＤ  Ｈｙｂｒｉｄであることを特徴とする。
【００２８】
請求項１０記載の発明の光ディスク信号再生方法は、前記請求項１又は６記載の光ディスク信号処理方法を用いた光ディスク信号再生方法であって、得られた前記第１の反射光量と前記第２の反射光量とに基づいて、前記フォーカスドライブ機構を動作させる層を確定するための反射光量再生閾値を決定し、前記レーザーのスポット位置を光ディスクの下方から上方に上昇させながら反射光量を計測すると共に、前記計測した反射光量と前記反射光量再生閾値とを比較し、最初に前記反射光量再生閾値以上の反射光量を得たスポット位置から前記フォーカスドライブ機構を動作させることを特徴とする。
【００２９】
請求項１１記載の発明の光ディスク信号再生方法は、前記請求項１又は６記載の光ディスク信号処理方法を用いた光ディスク信号再生方法であって、得られた前記第１の反射光量と前記第２の反射光量とに基づいて、前記フォーカスドライブ機構を動作させるデータ記録層を確定するための反射光量再生閾値を決定し、前記レーザーのスポット位置を光ディスクの上方から下方に下降させながら反射光量を計測すると共に、前記計測した反射光量と前記反射光量再生閾値とを比較し、最初に前記反射光量再生閾値以上の反射光量を得たスポット位置から前記フォーカスドライブ機構を動作させることを特徴とする。
【００３０】
請求項１２記載の発明の光ディスク信号処理装置は、複数のデータ記録層の各々の反射率間の比率が一定の比率を持つ光ディスクにレーザーを照射して反射光量を検出するレーザー出力手段と、前記レーザー出力手段を上下に移動させて、前記レーザーのスポットの上下位置を調整するフォーカスドライブ機構とを備えた光ディスク信号処理装置であって、前記フォーカスドライブ機構を用いて、前記レーザーのスポット位置を光ディスクの下方から上方に上昇させながら、計測した反射光量と所定の反射光量閾値とを比較する第１の反射光量比較手段と、前記第１の反射光量比較手段において最初に前記所定の反射光量閾値以上となった第１の反射光量を記憶する第１の反射光量記憶手段と、前記フォーカスドライブ機構を用いて、前記レーザーのスポット位置を光ディスクの上方から下方に下降させながら、計測した反射光量と前記所定の反射光量閾値とを比較する第２の反射光量比較手段と、前記第２の反射光量比較手段において最初に前記所定の反射光量閾値以上となった第２の反射光量を記憶する第２の反射光量記憶手段とを備えたこと特徴とする。
【００３１】
請求項１３記載の発明は、前記請求項１２記載の光ディスク信号処理装置において、前記第１の反射光量と前記第２の反射光量とを比較する反射光量比較手段と、前記反射光量比較手段での比較結果に基づいて、光ディスクの種別を判断する種別判断手段とを備えたこと特徴とする。
【００３２】
請求項１４記載の発明は、前記請求項１３記載の光ディスク信号処理装置において、前記光ディスクは、Ｓｕｐｅｒ  Ａｕｄｉｏ  ＣＤ  Ｈｙｂｒｉｄであることを特徴とする。
【００３３】
請求項１５記載の発明は、前記請求項１２記載の光ディスク信号処理装置において、前記第１の反射光量と前記第２の反射光量とを比較する反射光量比較手段と、前記反射光量比較手段での比較結果に基づいて、前記第１の反射光量が光ディスクの表面反射による反射光量であることを判断する表面反射判断手段とを備えたことを特徴とする。
【００３４】
請求項１６記載の発明は、前記請求項１５記載の光ディスク信号処理装置において、前記所定の反射光量閾値を段階的に大きくすることを特徴とする。
【００３５】
請求項１７記載の発明の光ディスク信号処理装置は、複数のデータ記録層の各々の反射率間の比率が一定の比率を持つ光ディスクにレーザーを照射して反射光量を検出するレーザー出力手段と、前記レーザー出力手段を上下に移動させて、前記レーザーのスポットの上下位置を調整するフォーカスドライブ機構とを備えた光ディスク信号処理装置であって、前記フォーカスドライブ機構を用いて、前記レーザーのスポット位置を光ディスクの下方からディスク表面よりも所定距離以上上方に上昇させながら複数の反射光量を計測する反射光量計測手段と、前記反射光量計測手段において得られた複数の反射光量のうち、最も大きい第１の反射光量と、前記第１の反射光量の次に大きい第２の反射光量とを記憶する最大反射光量記憶手段とを備えたこと特徴とする。
【００３６】
請求項１８記載の発明は、前記請求項１７記載の光ディスク信号処理装置において、前記所定距離は１．２ｍｍであることを特徴とする。
【００３７】
請求項１９記載の発明は、前記請求項１７又は１８記載の光ディスク信号処理装置において、前記第１の反射光量と前記第２の反射光量とを比較する反射光量比較手段と、前記反射光量比較手段での比較結果に基づいて、光ディスクの種別を判断する種別判断手段とを備えたこと特徴とする。
【００３８】
請求項２０記載の発明は、前記請求項１９記載の光ディスク信号処理装置において、前記光ディスクは、Ｓｕｐｅｒ  Ａｕｄｉｏ  ＣＤ  Ｈｙｂｒｉｄであることを特徴とする。
【００３９】
請求項２１記載の発明の光ディスク信号再生装置は、前記請求項１２又は１７記載の光ディスク信号処理装置を用いた光ディスク信号再生装置であって、前記第１の反射光量と前記第２の反射光量とに基づいて、前記フォーカスドライブ機構を動作させる層を確定するための反射光量再生閾値を決定し、前記レーザーのスポット位置を光ディスクの下方から上方に上昇させながら反射光量を計測すると共に、前記計測した反射光量と前記反射光量再生閾値とを比較し、最初に前記反射光量再生閾値以上の反射光量を得たスポット位置から前記フォーカスドライブ機構を動作させることを特徴とする。
【００４０】
請求項２２記載の発明の光ディスク信号再生装置は、前記請求項１２又は１７記載の光ディスク信号処理装置を用いた光ディスク信号再生装置であって、前記第１の反射光量と前記第２の反射光量とに基づいて、前記フォーカスドライブ機構を動作させる層を確定するための反射光量再生閾値を決定し、前記レーザーのスポット位置を光ディスクの上方から下方に下降させながら反射光量を計測すると共に、前記計測した反射光量と前記反射光量再生閾値とを比較し、最初に前記反射光量再生閾値以上の反射光量を得たスポット位置から前記フォーカスドライブ機構を動作させるとを特徴とする。
【００４１】
以上により、請求項１〜５及び１２〜１６記載の発明では、光ディスク信号処理装置を構成する半導体集積回路等のばらつきや光ディスクの載置状態によっては、前記光ディスクの反射光を得る時の半導体集積回路の駆動値や時間にはばらつきが見られる。しかし、前記光ディスクの反射光量は、一定の値以上となるように規格として定められているので、光ディスク信号処理装置内のフォーカスドライブ機構を用いて、レーザーのスポット位置を下方から上方に上昇させながら計測した反射光量と所定の反射光量閾値とを比較して、最初に前記所定の反射光量閾値以上となった第１の反射光量を記憶すると共に、前記フォーカスドライブ機構を用いて、前記レーザーのスポット位置を光ディスクの上方から下方に下降させながら計測した反射光量と前記所定の反射光量閾値とを比較して、最初に前記所定の反射光量閾値以上となった第２の反射光量を記憶して、前記第１の反射光量及び前記第２の反射光量の２つの反射光量に基づいて、光ディスクの種別を判断するので、前記光ディスク信号処理装置内の半導体集積回路等のばらつきの影響を受けることが低減される。
【００４２】
また、請求項６〜９及び１７〜２０記載の発明では、光ディスク信号処理装置内のフォーカスドライブ機構を用いて、レーザー出力手段からのレーザーのスポット位置を光ディスクの下方からディスク表面よりも所定距離以上上方に上昇させながら複数の反射光量を計測して、前記複数の反射光量のうち、最も大きい第１の反射光量と、前記第１の反射光量の次に大きい第２の反射光量とを記憶すると共に、前記第１の反射光量及び前記第２の反射光量の２つの反射光量に基づいて、光ディスクの種別を判断することによって、光ディスクの下方から上方への１回のディスクサーチで２つの反射光量を得ることが可能となるので、上記の２回のディスクサーチを行う場合と比較して、短時間で光ディスクを判別することが可能となる。
【００４３】
さらに、請求項１〜２２記載の発明では、光ディスクの反射光の反射光量は、面ブレディスクであった場合でも安定した値を得ることができるので、面ブレディスクを回転させてディスクサーチを行っても光ディスクの判別に与える影響が低減されると共に、レーザー出力手段を構成する半導体集積回路等にばらつきがあった場合でも、前記第１及び第２の反射光量は、前記所定の反射光量閾値と比較されるので、前記所定の反射光量閾値を調整することによって前記半導体集積回路のばらつきの影響を低減できる。
【００４４】
加えて、請求項１０、１１、２１、２２記載の発明では、前記第１及び第２の反射光量を用いてフォーカスドライブ機構を動作させる層を確定するので、レーザーのスポット位置を所望のデータ記録層の位置に合わせることが可能となる。
【発明の効果】
【００４５】
以上説明したように、請求項１〜２２記載の光ディスク信号処理方法及び光ディスク信号再生方法並びに光ディスク信号処理装置によれば、得られた複数の反射光量同士を比較して光ディスクを判別することにより、光ディスクを回転させながらディスクサーチを行った場合でも計測した反射光量には影響が及ばないと共に、光ディスク信号処理装置内の半導体集積回路のばらつきが判別結果に従来よりも影響を与えないので、より正確に光ディスクの判別を行うことが可能となる。また、より正確に光ディスクの判別を行うことが可能な２つの反射光量によってフォーカスドライブ機構を動作させる層を決定するので、光ディスクのデータ記録層を従来よりも正しく認識できるので、読み込むべきデータ記録層を誤ることなく、所望のデータの再生が可能となる。
【発明を実施するための最良の形態】
【００４６】
以下、本発明の実施形態の光ディスク信号処理方法及び光ディスク信号再生方法並びに光ディスク信号処理装置及び光ディスク信号再生装置を図面に基づいて説明する。
【００４７】
（第１の実施形態）
≪光ディスク信号処理装置の全体構成≫
図１は、本発明の実施形態の光ディスク信号処理装置の全体構成を示したブロック図である。
【００４８】
同図において、光ディスク信号処理装置１００の内部には、レーザーピックアップ（レーザー出力手段）１１０と、ピックアップ送り機構１２０と、ディスクモータ１３０と、制御装置１４０とが備えられる。
【００４９】
前記レーザーピックアップ１１０は、その内部に、光ディスクＤに照射されるレーザーを発するレーザーダイオード１１１と、前記レーザーにスポットを持たせる対物レンズ１１２と、前記スポットの水平位置（図中Ｒ２方向）を調整することでトラッキングを行うトラッキングサーボ１１３と、前記スポットの垂直位置（図中Ｒ１方向）を調整することでフォーカシングを行うフォーカスサーボ（フォーカスドライブ機構）１１４と、前記光ディスクＤから反射した反射光を受光信号に変換して前記制御装置１４０に送信するフォトディテクタ１１５とを有し、前記レーザーダイオード１１１から放射されたレーザーは前記対物レンズ１１２を介して前記光ディスクＤに照射され、前記光ディスクＤからの反射光は前記対物レンズ１１２を介して前記フォトディテクタ１１５に集光される。
【００５０】
前記ピックアップ送り機構１２０は、前記レーザーピックアップ１１０本体を前記光ディスクＤのトラック方向にトラックジャンプさせる際に用いられ、その内部にはスレッドモータ（図示せず）が備えられており、前記スレッドモータは前記制御装置１４０によって制御される。
【００５１】
前記トラッキングサーボ１１３及びフォーカスサーボ１１４は、レーザーのスポットの水平位置及び垂直位置を調整するために、前記制御装置１４０からの制御信号に基づいて前記対物レンズ１１２の位置を調整する。前記トラッキングサーボ１１３及び前記フォーカスサーボ１１４の動作について、以下に説明する。
【００５２】
前記トラッキングサーボ１１３及びフォーカスサーボ１１４は、例えば、前記ピックアップ１１０内に固定されたコイルによって構成され、前記対物レンズ１１２は、例えば、前記ピックアップ１１０本体に移動可能な状態で取付けられたホルダ（図示せず）上に配置される。前記ホルダには前記トラッキングサーボ１１３及びフォーカスサーボ１１４の各々のコイルに対応した磁石が取付けられる。前記トラッキングサーボ１１３や前記フォーカスサーボ１１４の駆動値に応じて、前記ホルダに取付けられた磁石との間に磁気的な作用が発生し、この作用によって、前記ホルダには移動する力が与えられて前記対物レンズ１１２の水平位置や垂直位置が調整される。
【００５３】
ここで、前記トラッキングサーボ１１３の駆動値をトラッキングドライブ、前記フォーカスサーボ１１４の駆動値をフォーカスドライブと呼び、前記各々の駆動値は電圧値として表される。前記トラッキングドライブ及びフォーカスドライブは、前記制御装置１４０から出力されて前記トラッキングサーボ１１３及びフォーカスサーボ１１４に供給される。
【００５４】
尚、同図では１つのレーザーピックアップ１１０のみを図示しているが、本発明の実施形態の光ディスク信号処理装置には、ＣＤピックアップ及びＤＶＤピックアップの２つのピックアップが備えられている。
【００５５】
図２は、レーザーピックアップ１１０の全体構成を示したブロック図である。
【００５６】
同図において、レーザーダイオード１１１から放射されたレーザーは、ハーフミラー１１６によってその方向を変え、対物レンズ１１２を介して光ディスクＤに照射される。前記レーザーが前記対物レンズ１１２を通過することによって、レーザーのスポットが現れる。前記光ディスクＤからの反射光は、前記ハーフミラー１１６を介してフォトディテクタ１１５に集光される。前記光ディスクＤに照射されるレーザーは、フォーカスサーボ１１４によって前記対物レンズ１１２の垂直位置（図中Ｒ１方向）を調整され、前記光ディスクＤのデータ記録層にスポットが合った時に、最大の反射光を得る。
【００５７】
図３は、制御装置１４０の全体構成を示したブロック図である。
【００５８】
光ディスク信号処理装置１００に光ディスクＤが載置されると、ディスク種類判別部１４１が回転駆動出力部１４２に指示を出してディスクモータ１３０を回転させ、それに伴って前記光ディスクＤが回転する。前記ディスクモータ１３０を回転させた後に、前記ディスク種類判別部１４１はＬＤ駆動出力部１４３を駆動してレーザーダイオード１１１を動作させてレーザーを放射させる。
【００５９】
ここで、光ディスクＤが載置されていないときにディスクモータ１３０が回転した場合、前記ディスクモータ１３０は光ディスクＤが載置されているときよりも高回転となるので、前記ディスクモータ１３０の回転加速度を検知することによって光ディスクＤが載置されているか否かの判断が可能となり、光ディスクＤが載置されていない状態でレーザーが放射されることを防止する。
【００６０】
レーザーを放射させた後に、前記ディスク種類判別部１４１は、駆動制御部１４４にディスクサーチの指示を出してフォーカスドライブ出力部１４５を動作させてフォーカスドライブを出力させる。前記フォーカスドライブ出力部１４５から出力されたフォーカスドライブはフォーカスサーボ１１４に供給され、前記フォーカスドライブの駆動値に対応して対物レンズ１１２が垂直方向に移動する。前記駆動制御部１４４は、光ディスクＤに照射されるレーザーのスポット位置が前記光ディスクＤの下方又は上方になるまでディスクサーチを行い、所望の地点に前記レーザーのスポットが到達した時点で前記フォーカスドライブ出力部１４５に対して指示を出してフォーカスドライブの出力を停止させる。
【００６１】
フォトディテクタ１１５から出力された受光信号は反射光量受信部１４８に供給され、前記反射光量受信部１４８は受光信号を基に反射光量の大きさを定量的に検出する。定量的に検出された反射光量は、反射光量検出閾値検査部１４９において、所定の反射光量閾値よりも大きいか否かを判断される。前記所定の反射光量閾値よりも大きい場合には、前記反射光量は最大反射光量検出部１５０に送信される。前記最大反射光量検出部１５０では、前記所定の反射光量閾値以上となった反射光量をバッファに記憶するか否かを判断し、記憶すると判断した場合に前記反射光量を最大反射光量保存部１５１に送信する。前記最大反射光量保存部１５１では、ＴＯＰ１保存バッファ及びＴＯＰ２保存バッファに反射光量を保存し、前記２つの保存バッファに記憶された反射光量は、前記ディスク種類判別部１４１の制御が終了するまで保持される。
【００６２】
同図の制御装置１４０において、駆動制御部１４４、フォーカスドライブ出力部１４５、反射光量受信部１４８、反射光量検出閾値検査部１４９は、第１の反射光量検出手段や第２の反射光量検出手段であって、フォーカスサーボ１１４を用いてレーザーダイオード１１１からのレーザーのスポット位置を光ディスクＤの下方から上方に上昇させながら、計測した反射光量と所定の反射光量閾値とを比較する処理や、前記フォーカスサーボ１１４を用いて、前記レーザーダイオード１１１からのレーザーのスポット位置を光ディスクＤの上方から下方に下降させながら、計測した反射光量と前記所定の反射光量閾値とを比較する処理を行う。
【００６３】
また、最大反射光量検出部１５０及び最大反射光量保存部１５１は、第１の反射光量記憶手段や第２の反射光量記憶手段であって、フォーカスサーボ１１４を下方から上方へと上昇させている場合に、最初に所定の反射光量閾値以上となった第１の反射光量をＴＯＰ１保存バッファに記憶する処理や、前記フォーカスサーボ１１４を上方から下方へと下降させている場合に、最初に前記所定の反射光量閾値以上となった第２の反射光量をＴＯＰ２保存バッファに記憶する処理を行う。
【００６４】
さらに、ディスク種別判断部１４１は、反射光量比較手段や種別判断手段、表面反射判断手段であって、ディスクサーチ中に得られた第１の反射光量と第２の反射光量とを比較する処理や、前記の比較結果に基づいて、光ディスクＤの種別の判断、例えばＳＡＣＤ  Ｈｙｂｒｉｄであるか否かの判断や、前記第１の反射光量が表面反射であることを判断する処理を行う。また、前記第１の反射光量が表面反射であった場合には、反射光量検出閾値検査部１４９に所定の反射光量閾値を段階的に大きくした新たな閾値を送信する。
【００６５】
加えて、他の実施形態では、同図の制御装置１４０において、駆動制御部１４４、フォーカスドライブ出力部１４５、反射光量受信部１４８は、反射光量計測手段であって、フォーカスサーボを用いてレーザーダイオード１１１からのレーザーのスポット位置を光ディスクＤの下方からディスク表面よりも所定距離以上、例えば１．２ｍｍ以上上方に上昇させながら複数の反射光量を計測する処理を行う。
【００６６】
また、最大反射光量検出部１５０及び最大反射光量保存部１５１は、最大反射光量検出手段であって、前記反射光量計測手段で得られた複数の反射光量のうち、最も大きい第１の反射光量をＴＯＰ１バッファに記憶すると共に、前記第１の反射光量の次に大きい第２の反射光量をＴＯＰ２バッファに記憶する処理を行う。
【００６７】
さらに、ディスク種別判断部１４１は、反射光量比較手段や種別判断手段であって、ディスクサーチ中に得られた第１の反射光量と第２の反射光量とを比較する処理や、前記の比較結果に基づいて、光ディスクＤの種別を判断する処理、例えばＳＡＣＤ  Ｈｙｂｒｉｄであるか否かの判断を行う。
【００６８】
尚、同図において、ピックアップ送り駆動出力部１４６は、レーザーピックアップ１１０を光ディスクＤのトラック方向にトラックジャンプさせる際に、ピックアップ送り機構１２０内のスレッドモータに対してピックアップ送り駆動を出力する。また、トラッキングドライブ出力部１４７は、対物レンズ１１２の位置を垂直方向に調整する際に、トラッキングサーボ１１３に対してトラッキングドライブを出力する。
【００６９】
≪光ディスク内のデータ記録層≫
図４は光ディスクの断面を示した断面図である。
【００７０】
同図（ａ）はＣＤ、同図（ｂ）はＳＡＣＤ  Ｈｙｂｒｉｄ、同図（ｃ）は２層のデータ記録層を有する２層ＤＶＤ、（ｄ）は１層のデータ記録層を有する１層ＤＶＤの各々の光ディスクの断面図を示している。
【００７１】
同図（ａ）において、ＣＤ４００には、透明な樹脂材を用いた透明層４０１が形成され、前記透明層４０１の表面（前記ＣＤ４００のディスク表面）４０９から約１．２ｍｍ離れた位置にデータ記録層４０２及び反射層４０３が形成されている。
【００７２】
同図（ｂ）において、ＳＡＣＤ  Ｈｙｂｒｉｄ４１０には、ディスク表面４１９から約０．６ｍｍ離れた位置にＨＤデータ記録層４１２が形成されていると共に、前記ディスク表面４１９から約１．２ｍｍ離れた位置にＣＤデータ記録層４１５が形成されている。より詳細には、ディスク表面４１９から第１の透明層４１１を挟んで約０．６ｍｍの位置にＨＤデータ記録層４１２及び第１の反射層４１３が形成され、その上部には、第２の透明層４１４を挟んで約０．６ｍｍの位置にＣＤデータ記録層４１５及び第２の反射層４１６が形成されている。ここで、前記第１の反射層４１３での反射率は１５〜３０％、前記第２の反射層４１６での反射率は３５％以上であると共に、前記第１の反射層４１３での反射率は前記第２の反射層４１６での反射率の８０％以下であることが規格化されている。
【００７３】
同図（ｃ）において、２層ＤＶＤ４２０には、ディスク表面４２９から約０．６ｍｍ離れた位置に第１のデータ記録層４２２及び第２のデータ記録層４２４が形成され、その上部に厚さ０．６ｍｍのダミー層４２６が貼り付けられている。より詳細には、ディスク表面４２９から透明層４２１を挟んで約０．６ｍｍの位置に第１のデータ記録層４２２及び第１の反射層４２３が形成されていると共に、その上部に第２のデータ記録層４２４及び第２の反射層４２５が膜付けして形成されている。さらに、前記第２の反射層４２５の上部に厚さ０．６ｍｍのダミー層４２６が貼り付けられている。ここで、前記第１のデータ記録層４２２と前記第２のデータ記録層４２４との層間距離は５５μｍと規定されており、各々の反射層４２３、４２５での反射率は１８〜３０％であることが規格化されている。
【００７４】
同図（ｄ）において、１層ＤＶＤ４３０には、ディスク表面４３９から透明層４３１を挟んで約０．６ｍｍ離れた位置にデータ記録層４３２及び反射層４３３が形成され、前記反射層４３３の上部には厚さ０．６ｍｍのダミー層４３４が貼り付けられている。ここで、前記反射層４３３での反射率は４５〜８５％であることが規格化されている。
【００７５】
上記で説明したように、同図（ｂ）のＳＡＣＤ  Ｈｙｂｒｉｄは、２層のデータ記録層４１２、４１５の各々の反射率が異なり、その反射率間の比率が一定であると共に、従来の光ディスクのＣＤやＤＶＤとは異なる形状であるので、各々のデータ記録層４１２、４１５の上部の反射層４１３、４１６での反射光量を得ることによって光ディスクがＳＡＣＤ  Ｈｙｂｒｉｄであるか否かを判別可能である。
【００７６】
よって、本実施形態では、ディスクサーチを行う際にレーザーピックアップ１１０内の対物レンズ１１２を上下に移動させることによって、レーザーダイオード１１１から照射されるレーザーのスポット位置を上下に移動させて、前記各々のデータ記録層４１２、４１５付近での反射光量を計測し、得られた反射光量によって光ディスクの判別を行う。
【００７７】
≪光ディスク信号処理方法及び光ディスク信号処理装置≫
図５は、制御装置１４０における本発明の第１の実施形態の光ディスク信号処理フローを示す図である。
【００７８】
光ディスク信号処理装置１００に光ディスクＤが載置されると、ステップＳ５０１においてディスクモータ１３０の回転を開始させて光ディスクＤを回転させる。
【００７９】
ステップＳ５０２において、ＣＤピックアップのＣＤレーザーを放射して、ステップＳ５０３において、前記ＣＤレーザーのスポット位置を前記光ディスクＤの上方から下方へと下降させながらディスクサーチを行い、所定の反射光量閾値以上の第３の反射光量を得る。計測した前記第３の反射光量はステップＳ５１１（後述）において、前記光ディスクＤがＳＡＣＤ  Ｈｙｂｒｉｄでないと判断された場合に、ＣＤ又はＤＶＤのどちらであるかの判別に用いられる。
【００８０】
ステップＳ５０４において、ＤＶＤピックアップのＤＶＤレーザーを放射する。ステップＳ５０５は、第１の反射光量比較ステップ及び第１の反射光量記憶ステップであって、前記ＤＶＤレーザーのスポット位置を前記光ディスクＤの下方から上方へと上昇させながらディスクサーチを行い、最初に前記所定の反射光量閾値以上となった第１の反射光量を得て、その値をＴＯＰ１保存バッファに記憶する。
【００８１】
ステップＳ５０６は、第２の反射光量比較ステップ及び第２の反射光量記憶ステップであって、前記ＤＶＤレーザーのスポット位置を前記光ディスクＤの上方から下方へと下降させながらディスクサーチを行い、最初に前記所定の反射光量閾値以上となった第２の反射光量を得て、その値をＴＯＰ２保存バッファに記憶する。
【００８２】
ステップＳ５０７は、反射光量比較ステップであって、前記ステップ５０５で得た第１の反射光量と前記ステップ５０６で得た第２の反射光量とを比較する。ここで、例えば、前記第１及び第２の反射光量の比α、例えば、「α＝第１の反射光量／第２の反射光量」を計算する。
【００８３】
ステップＳ５０８は、種別判断ステップであって、前記ステップＳ５０７で計算した比率αを用いてＳＡＣＤ  Ｈｙｂｒｉｄであるか否かの判別を行う。ここで、ＳＡＣＤ  ＨｙｂｒｉｄはＨＤ層の反射率がＣＤ層の反射率の８０％以下となることが規定されていることと、前記第１の反射光量が光ディスクＤの表面反射によるものであった場合とを考慮して、例えば、前記比率αが、０．３≦α≦０．８であった場合には、ステップＳ５０９において、載置された光ディスクＤがＳＡＣＤ  Ｈｙｂｒｉｄであると判別する。
【００８４】
前記比率αが、０．３≦α≦０．８ではない場合には、ステップＳ５１０の判定が行われる。前記ステップＳ５１０は、表面反射判断ステップであって、前記ステップ５０７において計算した比率αが、α＜０．３であるか否かを判定し、α＜０．３ではない場合には、ステップＳ５１１において、第１〜第３の反射光量に基づいてＣＤ又はＤＶＤのどちらであるかを判別する。前記比率αが、α＜０．３であった場合には、前記ステップＳ５０５で得た第１の反射光量が表面反射であると判断し、ステップＳ５１２において、前記所定の反射光量閾値を前記第１の反射光量よりも段階的に大きく設定して、前記ステップＳ５０２から再度、光ディスク信号処理フローを順に実行する。尚、ステップＳ５１２において、再設定する反射光量閾値は前記第１の反射光量よりも少量だけあげることが望ましい。
【００８５】
図６は、本実施形態の光ディスク信号処理装置の動作を示した動作図である。同図は、光ディスク信号処理方法における第１の反射光量比較ステップ、第１の反射光量記憶ステップ、第２の反射光量比較ステップ、第２の反射光量記憶ステップでの光ディスク信号処理装置の動作を示している。
【００８６】
同図（ａ）は、ディスクサーチ中のフォーカスドライブの駆動値を表しており、６００ではレーザーのスポット位置を上昇させるために前記駆動値を増加して対物レンズ１１２を上昇させている。また、６０１ではレーザーのスポット位置を下降させるために前記駆動値を減少して対物レンズ１１２を下降させている。
【００８７】
同図（ｂ）は、同図（ａ）のフォーカスドライブの駆動値に対応したレーザーのスポット位置を示している。６０５はＳＡＣＤ  Ｈｙｂｒｉｄのディスク表面（光ディスクのディスク表面）、６０６はＳＡＣＤ  ＨｙｂｒｉｄのＨＤ層のデータ記録層（前記ディスク表面６０５から０．６ｍｍの位置）、６０７はＳＡＣＤ  ＨｙｂｒｉｄのＣＤ層のデータ記録層（前記ディスク表面６０５から１．２ｍｍの位置）を表している。
【００８８】
同図（ｃ）〜（ｅ）は各々の光ディスクでの反射光量を示しており、レーザーのスポット位置がディスク表面６０５であったときには、光ディスクの種類に依存せずに反射光量６１０を検出する。
【００８９】
同図（ｃ）は、ＳＡＣＤ  Ｈｙｂｒｉｄでの反射光量を示している。第１の反射光量比較ステップは、下方から上方へとディスクサーチ動作を行い対物レンズ１１２を上昇させている６００に対応している。まず、レーザーのスポット位置がディスク表面６０５の時に反射光量６１０を得るが、前記反射光量６１０は所定の反射光量閾値６５０よりも小さいため無視される。前記スポット位置が前記ＨＤ層のデータ記録層６０６の時に前記所定の反射光量閾値６５０以上となる第１の反射光量６１１を検出し、第１の反射光量記憶ステップにおいて、前記第１の反射光量６１１を保存バッファに記憶する。前記第１の反射光量６１１を保存した後には、前記スポット位置を光ディスクの上方に移動させる。
【００９０】
第２の反射光量比較ステップは、上方から下方へとディスクサーチ動作を行い対物レンズ１１２を下降させている６０１に対応している。前記ＣＤ層のデータ記録層６０７の時に前記所定の反射光量閾値６５０以上となる第２の反射光量６１２を検出し、第２の反射光量記憶ステップにおいて、前記第２の反射光量６１２を保存バッファに記憶する。前記第２の反射光量６１２を保存した後には、前記スポット位置を光ディスクの下方に移動させる。
【００９１】
同図（ｄ）は１層ＤＶＤでの反射光量を示している。前記第１の反射光量比較ステップ及び第１の反射光量記憶ステップにおいて、所定の反射光量閾値６５０以上となる第１の反射光量６２１を保存する。また、前記第２の反射光量比較ステップ及び第２の反射光量記憶ステップにおいて、前記所定の反射光量閾値６５０以上となる第２の反射光量６２２を保存する。
【００９２】
同図（ｄ’）は２層ＤＶＤでの反射光量を示している。２層ＤＶＤでは、２つのデータ記録層の層間距離が５５μｍでありＳＡＣＤ  Ｈｙｂｒｉｄの層間距離０．６ｍｍと比較して十分小さいので、１層ＤＶＤと同様に処理することが可能である。具体的には、前記第１の反射光量比較ステップ及び第１の反射光量記憶ステップにおいて、所定の反射光量閾値６５０以上となる第１の反射光量６２３を保存し、前記第２の反射光量比較ステップ及び第２の反射光量記憶ステップにおいて、前記所定の反射光量閾値６５０以上となる第２の反射光量６２４を保存する。
【００９３】
同図（ｅ）はＣＤでの反射光量を示している。前記第１の反射光量比較ステップ及び第１の反射光量記憶ステップにおいて、所定の反射光量閾値６５０以上となる第１の反射光量６３１を保存し、前記第２の反射光量比較ステップ及び第２の反射光量記憶ステップにおいて、前記所定の反射光量閾値６５０以上となる第２の反射光量６３２を保存する。
【００９４】
上記の図６では、ディスク表面６０５での反射光量６１０が所定の反射光量閾値６５０以下であった場合の光ディスク信号処理装置の動作を示しているが、前記ディスク表面６０５での反射光量６１０は光ディスクや光ディスク信号処理装置を構成する回路のばらつきによって一定ではない。そこで、表面反射判断ステップにおいて、第１の反射光量がディスク表面の反射光量であるか否かを判断して、ディスク表面の反射光量であると判断した場合には所定の反射光量閾値を再設定する。
【００９５】
図７は、本実施形態の光ディスク信号処理装置における反射光量閾値の再設定方法を示した動作図である。
【００９６】
同図（ａ）は、ディスクサーチ中のフォーカスドライブの駆動値を表しており、７００、７０２ではレーザーのスポット位置を上昇させるために前記駆動値を増加して対物レンズ１１２を上昇させている。また、７０１、７０３ではレーザーのスポット位置を下降させるために前記駆動値を減少して対物レンズ１１２を下降させている。
【００９７】
同図（ｂ）は、ＣＤでの反射光量を示しており、７１２、７１３はＣＤのデータ記録層での反射光量を示しており、７１１、７１４はＣＤのディスク表面での反射光量を示している。
【００９８】
まず、第１の反射光量比較ステップ及び第１の反射光量記憶ステップにおいて、所定の反射光量閾値７５０以上となる第１の反射光量７１１を保存し、第２の反射光量比較ステップ及び第２の反射光量記憶ステップにおいて、前記所定の反射光量閾値７５０以上となる第２の反射光量７１３を保存する。反射光量比較ステップにおいて、前記第１の反射光量７１１と前記第２の反射光量７１３との比率α（第１の反射光量７１１／第２の反射光量７１３）を求める。ディスク表面での反射光量７１１はデータ記録層での反射光量７１３よりも十分に小さい値であるので、比率αの閾値を例えば０．３に設定することによって、表面反射判断ステップにおいて、前記第１の反射光量７１１はディスク表面での反射光量であると判断される。
【００９９】
次に、前記所定の反射光量７５０を前記反射光量７１１よりも少し大きな値の反射光量７６０に再設定して、上述のディスクサーチ手順を再度実行する。
【０１００】
再度行った第１の反射光量比較ステップ及び第１の反射光量記憶ステップにおいて、再設定した所定の反射光量閾値７６０以上となる第１の反射光量７１２を保存し、第２の反射光量比較ステップ及び第２の反射光量記憶ステップにおいて、前記所定の反射光量閾値７６０以上となる第２の反射光量７１３を保存する。反射光量閾値７５０を再設定して反射光量閾値７６０とすることにより、光ディスクの表面反射が原因となる誤判別を防止してデータ記録層での反射光量を確実に保存して光ディスクを正しく判別することが可能となる。
【０１０１】
ここで、再設定後の反射光量閾値は、表面反射であると判断された第１の反射光量よりも少量ずつ大きく設定して、段階的に大きく設定することが望ましい。
【０１０２】
（第２の実施形態）
図８は、制御装置１４０における第２の実施形態の光ディスク信号処理フローを示した図である。同図の光ディスク信号処理方法では、光ディスクＤの下方から上方へとディスクサーチを行った際に２つ以上の反射光量が得られた場合、前記２つ以上の反射光量のうち、最大の反射光量ＴＯＰ１と２番目に大きい反射光量ＴＯＰ２とを記憶し、前記２つの反射光量ＴＯＰ１、ＴＯＰ２を第１及び第２の反射光量としてＳＡＣＤ  Ｈｙｂｒｉｄであるか否かの判別を行う。
【０１０３】
光ディスク信号処理装置１００に光ディスクＤが載値されると、ステップＳ８０１においてディスクモータ１３０の回転を開始させて光ディスクＤを回転させる。
【０１０４】
ステップＳ８０２において、ＣＤピックアップのＣＤレーザーを放射して、ステップＳ８０３において、前記ＣＤレーザーのスポット位置を前記光ディスクＤの上方から下方へと降下させながらディスクサーチを行い、所定の反射光量閾値以上の第３の反射光量を得る。計測した前記第３の反射光量はステップＳ８１５（後述）において、前記光ディスクＤがＣＤ又はＤＶＤのどちらであるかの判別に用いられる。
【０１０５】
ステップＳ８０４において、ＤＶＤピックアップのＤＶＤレーザーを放射して、ステップＳ８０５において、前記ＤＶＤレーザーのスポット位置を前記光ディスクＤの下方から上方へとディスクサーチを開始する。前記ディスクサーチ中に反射光量βを検出した際には、ステップＳ８０８において前記反射光量βがその時点で検出された最大の反射光量ＴＯＰ１よりも大きいか否かを判断し、前記反射光量βが前記最大の反射光量ＴＯＰ１よりも大きい（β＞ＴＯＰ１）場合には、ステップＳ８１１において、前記最大の反射光量ＴＯＰ１を２番目に大きい反射光量ＴＯＰ２とし（ＴＯＰ２＝ＴＯＰ１）、前記反射光量βと前記最大の反射光量ＴＯＰ１とを入れ替える（ＴＯＰ１＝β）。
【０１０６】
前記反射光量βが前記最大の反射光量ＴＯＰ１よりも小さく、かつ前記２番目に大きい反射光量ＴＯＰ２よりも大きい場合（ＴＯＰ２＜β＜ＴＯＰ１）には、ステップＳ８１０において、前記反射光量βと前記２番目に大きい反射光量ＴＯＰ２とを入れ替える（ＴＯＰ２＝β）。
【０１０７】
上記のステップＳ８０６〜Ｓ８１１は反射光量計測ステップ及び最大反射光量記憶ステップであって、ステップＳ８０６において前記ＤＶＤレーザーのスポット位置が前記光ディスクＤのディスク表面よりも所定距離、例えば１．２ｍｍ以上に到達したと判断するまで上記の一連の処理を繰り返す。
【０１０８】
前記ステップＳ８０６において、前記レーザーのスポット位置が前記光ディスクＤのディスク表面よりも１．２ｍｍ以上上方である判断した場合には、ステップＳ８１２の反射光量比較ステップにおいて、この時点での最大の反射光量ＴＯＰ１を第１の反射光量、２番目に大きい反射光量ＴＯＰ２を第２の反射光量として、前記第１及び第２の反射光量の比α、例えば、「α＝ＴＯＰ２／ＴＯＰ１」を計算する。
【０１０９】
ここで、前記最大の反射光量ＴＯＰ１や前記２番目に大きい反射光量ＴＯＰ２が取得できなかった場合には、前記ステップＳ８０５〜Ｓ８１２を再度実行する等が好適である。
【０１１０】
ステップＳ８１３は、種別判断ステップであって、前記ステップＳ８１２で計算した比率αを用いてＳＡＣＤ  Ｈｙｂｒｉｄであるか否かの判別を行う。ここで、ＳＡＣＤ  ＨｙｂｒｉｄはＨＤ層の反射率がＣＤ層の反射率の８０％以下となることが規定されていることと、前記第１の反射光量が光ディスクＤの表面反射によるものであった場合とを考慮して、例えば、前記比率αが、０．３≦α≦０．８であった場合には、ステップＳ８１４において、載置された光ディスクＤがＳＡＣＤ  Ｈｙｂｒｉｄであると判別する。
【０１１１】
前記比率αが、０．３≦α≦０．８ではない場合には、前記ステップＳ８１３において、第１〜第３の反射光量に基づいてＣＤ又はＤＶＤのどちらであるかを判別する。
【０１１２】
図９は、他の実施形態の光ディスク信号処理装置の動作を示した動作図である。同図は、反射光量計測ステップ及び最大反射光量記憶ステップでの光ディスク信号処理装置の動作を示している。
【０１１３】
同図（ａ）は、ディスクサーチ中のフォーカスドライブの駆動値を表しており、９００においてレーザーのスポット位置を光ディスクＤの下方から上方へと上昇させるために前記駆動値を増加して対物レンズ１１２を上昇させている。
【０１１４】
同図（ｂ）は、同図（ａ）のフォーカスドライブの駆動値に対応したＳＡＣＤ  Ｈｙｂｒｉｄの反射光量を示している。
【０１１５】
ディスク表面の下方から光ディスクの上方へとディスクサーチをしている期間９００において、まず、ディスク表面での反射光量９１０を得る。前記反射光量９１０はディスクサーチ中に最初に得られた反射光量であるので、最大の反射光量ＴＯＰ１は反射光量９１０となる（ＴＯＰ１＝反射光量９１０）。ディスクサーチを続けると、ＨＤデータ記録層での反射光量９１１を得る。前記反射光量９１１は前記反射光量９１０（ＴＯＰ１）よりも大きい（反射光量９１１＞反射光量９１０）ので、前記反射光量９１０は２番目に大きい反射光量ＴＯＰ２（ＴＯＰ２＝反射光量９１０）、前記反射光量９１１は最大の反射光量ＴＯＰ１（ＴＯＰ１＝反射光量９１１）となる。さらにディスクサーチを続けると、前記反射光量９１１よりも大きいＣＤデータ記録層での反射光量９１２を得るので、前記反射光量９１１は２番目に大きい反射光量ＴＯＰ２（ＴＯＰ２＝反射光量９１１）、前記反射光量９１２は最大の反射光量ＴＯＰ１（ＴＯＰ１＝反射光量９１２）となる。その後、光ディスク信号処理装置は、レーザーのスポット位置がディスク表面よりも所定距離１．２ｍｍ以上上方になるまでディスクサーチを続ける。
【０１１６】
ディスクサーチによって得られた反射光量は、最大の反射光量ＴＯＰ１がＣＤデータ記録層での反射光量９１２、２番目に大きい反射光量ＴＯＰ２がＨＤデータ記録層での反射光量９１１となり、第１の反射光量９１２及び第２の反射光量９１１によってＳＡＣＤ  Ｈｙｂｒｉｄであると判別される
同図（ｃ）は、同図（ａ）のフォーカスドライブの駆動値に対応した１層ＤＶＤの反射光量を示している。
【０１１７】
同図（ｂ）と同様にディスクサーチを行うと、最大の反射光量ＴＯＰ１はデータ記録層での反射光量９２１、２番目に大きい反射光量ＴＯＰ２はディスク表面での反射光量９２０となる。前記反射光量９２０、９２１によって、ＳＡＣＤ  Ｈｙｂｒｉｄではないと判別される。
【０１１８】
≪面ブレディスクのディスクサーチ≫
ここで、面ブレディスクのディスクサーチについて以下に説明する。
【０１１９】
図１０は、データ記録層と対物レンズとの位置関係を示した概略図である。
【０１２０】
同図において、面ブレディスク１０００は光ディスクが軸方向に傾いており、前記面ブレディスク１０００が回転することによって、軸方向にアップダウン１００１が生じる。前記アップダウン１００１が生じている状態で、対物レンズ１００２を上下に移動させてディスクサーチを行うと、下側振れ時１０１０と上側振れ時１０２０とではデータ記録層の上下位置が異なる。そのため、レーザーのスポットの焦点位置が異なり、前記データ記録層の上部の反射層に対するレーザーのスポット位置が一定ではなくなる。また、光ディスク回転時のみでなくディスク停止時であっても、前記光ディスクの固定位置に依存して前記反射層に対するレーザーのスポット位置が一定ではなくなる。
【０１２１】
図１１は、図１０の面ブレディスクのディスクサーチにおける反射光量を示した概略図である。
【０１２２】
同図（ａ）は、面ブレディスクとスポット位置の位置関係を示した概略図であり、従来のＣＤやＤＶＤといったデータ記録層を一つだけ持つ光ディスクにおけるディスクサーチを示している。また、同図（ｂ）はフォーカスドライブの駆動値を示し、同図（ｃ）は前記光ディスクでの反射光量を示している。
【０１２３】
従来の光ディスク信号処理方法では、光ディスクの下方から上方へとディスクサーチをした際、面ブレディスクの上側振れ時１０２０の状態で反射光量１１００を得る。その後、面ブレディスクの下側振れ時１０１０を経て、さらに上側振れ時１０２０の状態で反射光量１１０１を得る。このように、１層のデータ記録層を有する光ディスクであってもディスクのアップダウンにより複数の反射光量を得る場合があるので、ＳＡＣＤ  Ｈｙｂｒｉｄではない光ディスクをＳＡＣＤ  Ｈｙｂｒｉｄと誤判別する可能性がある。
【０１２４】
本実施形態の光ディスク信号処理方法では、光ディスクの下方から上方へとディスクサーチを行った際に最初に得られた第１の反射光量と、光ディスクの上方から下方へとディスクサーチを行った際に最初に得られた第２の反射光量とを記憶するので、１度のディスクサーチで複数の反射光量を得た場合であっても、最初に所定の反射光量閾値以上となる反射光量を記憶するので、面ブレによって予期しない反射光量が得られた場合であってもその影響を従来よりも受けにくい。
【０１２５】
また、他の実施形態の光ディスク信号処理方法では、光ディスクの下方から上方へのディスクサーチ中に得られた最大の反射光量である第１の反射光量と２番目に大きい反射光量である第２の反射光量とを用いるので、同様に面ブレの影響を従来よりも受けにくい。
【０１２６】
（第３の実施形態）
≪光ディスク信号再生方法及び光ディスク信号再生装置≫
以下に、本発明の実施形態の光ディスク信号再生方法について説明する。
【０１２７】
光ディスク信号処理装置１００は、光ディスクＤのデータ記録層に記録されているデータを再生するために、前記データ記録層にレーザーのスポット位置が合うように対物レンズ１１２と前記データ記録層との距離を一定に保って、前記データ記録層に前記スポット位置を常に収束させる。ここで、前記光ディスク信号装置１００では、前記スポット位置と前記光ディスクＤのデータ記録層との間の距離（以下、ディスク距離変位量と言う）を検出して、前記ディスク距離変位量に応じてフォーカスエラー信号ＦＥを生成する。以下に、フォーカスエラー信号ＦＥの検出方法について説明する。
【０１２８】
図１２は、非点収差法におけるフォーカスエラー信号ＦＥの生成方法の概略図である。
【０１２９】
同図（ａ）は、光ディスク信号装置１００内のフォトディテクタ１１５の概略図であって、前記フォトディテクタ１１５は、４つの光検出素子１２００ａ〜１２００ｄで構成される。
【０１３０】
レーザーのスポット位置が光ディスクＤのデータ記録層と合う場合、つまり前記ディスク距離変位量が「０」である場合には、同図（ｂ）に示すように、前記光ディスクＤからの反射光がフォトディテクタ１１５の中央でほぼ真円状となる。
【０１３１】
また、レーザーのスポット位置が光ディスクＤのデータ記録層よりも上方で合う場合、つまり前記ディスク距離変位量が「マイナスの値」である場合には、同図（ｃ）に示すように、前記光ディスクＤからの反射光が前記光検出素子１２００ｂ及び１２００ｄ方向が長円となる楕円状となる。
【０１３２】
さらに、レーザーのスポット位置が光ディスクＤのデータ記録層よりも下方で合う場合、つまり前記ディスク距離変位量が「プラスの値」である場合には、同図（ｄ）に示すように、前記光ディスクＤからの反射光が前記光検出素子１２００ａ及び１２００ｃ方向が長円となる楕円状となる。
【０１３３】
このように、ディスク距離変位量によって、フォトディテクタ１１５上に形成される反射光の形状が異なるので、フォーカスエラー信号ＦＥを求める際に、光検出素子１２００ａ〜１２００ｄの各々で得られる反射光量Ａ〜Ｄを用いて、「ＦＥ＝（Ａ＋Ｃ）−（Ｂ＋Ｄ）」として演算処理することによって、同図（ｅ）に示すディスク距離変位量とフォーカスエラー信号ＦＥとの関係が得られる。また、光ディスクＤからの反射光の反射光量は、前記光検出素子１２００ａ〜１２００ｄを全て加算した値「反射光量＝Ａ＋Ｂ＋Ｃ＋Ｄ」を用いると、同図（ｆ）に示すディスク距離変位量と反射光量との関係が得られる。よって、光ディスクＤにおける反射層の位置は、反射光量が反射光量再生閾値１２１１以上であり、かつフォーカスエラー信号ＦＥが「０」となる位置１２１０と判断できる。
【０１３４】
図１３は、従来の光ディスク信号再生方法での光ディスク信号処理装置の動作を示す動作図である。
【０１３５】
同図（ａ）はフォーカスドライブの駆動値を示し、同図（ｂ）はフォーカスエラー信号ＦＥを示している。また、同図（ｃ）はＣＤやＤＶＤといった従来の光ディスクでの反射光量を示している。
【０１３６】
まず、従来の光ディスク信号再生方法では、光ディスクＤの上方から下方へとディスクサーチを行い、フォーカスエラー信号ＦＥが「０」かつ反射光量が最大となるスポット位置を探索し、前記最大の反射光量よりも小さい値を反射光量再生閾値１２１１に設定する。その後、前記光ディスクの下方から上方へとディスクサーチを行い、光ディスクＤの反射層を探索する。前記反射層は上述の通り、反射光量が反射光量再生閾値１２１１以上であり、かつフォーカスエラー信号ＦＥが「０」となる位置１２１０となった時にレーザーのスポット位置が前記反射層に合っていると判断できるので、その位置からフォーカスサーボの動作を開始することによって、目的のデータ記録層のデータを読み込んで再生することが可能となる。
【０１３７】
このような光ディスク信号再生方法において、ＳＡＣＤ  Ｈｙｂｒｉｄのような複数のデータ記録層の各々の反射率間の比率が一定の比率を持つ光ディスクに対して、所望のデータ記録層でフォーカスサーボを動作させる方法を以下に説明する。
【０１３８】
図１４は、本発明の実施形態の光ディスク信号再生方法の動作を示す動作図である。
【０１３９】
同図（ａ）は、フォーカスドライブの駆動値を示し、同図（ｂ）はフォーカスエラー信号ＦＥを示している。また、同図（ｃ）はＳＡＣＤ  Ｈｙｂｒｉｄでの反射光量を示している。尚、同図は、上記の光ディスク信号処理方法においてＳＡＣＤ  Ｈｙｂｒｉｄであると判別した際に、レーザーのスポット位置が光ディスクＤよりも下方に位置し、ＣＤ層でフォーカスサーボを動作させるときの動作図を示している。
【０１４０】
まず、ＳＡＣＤ  Ｈｙｂｒｉｄであると判別した際に、ＨＤ層での反射光量とＣＤ層での反射光量が特定できている。ここで、例えば、「（ＨＤ層での反射光量＋ＣＤ層での反射光量／２」を計算して、反射光量再生閾値１４１０を算出する。その後、光ディスクＤの下方から上方へとディスクサーチを行う。ここで、反射光量１４０１（表面反射の反射光量）や反射光量１４０２（ＨＤ層での反射光量）を計測するが、前記２つの反射光量は前記反射光量再生閾値１４１０以下であるため無視される。ディスクサーチを続けると、前記反射光量再生閾値１４１０以上となる反射光量１４０３（ＣＤ層での反射光量）を計測し、このスポット位置からフォーカスサーボを動作させる。前記反射光量１４０３を得たスポット位置からフォーカスサーボを動作させることにより、的確にＣＤ層においてフォーカスサーボを動作させることが可能となる。
【０１４１】
尚、前記反射光量再生閾値１４１０の算出式は、他の算出式を用いても良く、多少前後する反射光量再生閾値が設定されても良いのは勿論である。
【０１４２】
また、ＨＤ層のフォーカスサーボの動作を開始させる場合には、ＨＤ層での反射光量よりも少し小さい値を反射光量再生閾値とすれば、的確にＨＤ層においてフォーカスサーボの動作開始することが可能となる。
【０１４３】
図１５は、本発明の他の実施形態の光ディスク信号再生方法の動作を示す動作図である。
【０１４４】
同図（ａ）は、フォーカスドライブの駆動値を示し、同図（ｂ）はフォーカスエラー信号ＦＥを示している。また、同図（ｃ）はＳＡＣＤ  Ｈｙｂｒｉｄでの反射光量を示している。尚、同図は、上記の光ディスク信号処理方法においてＳＡＣＤ  Ｈｙｂｒｉｄであると判別した際に、レーザーのスポット位置が光ディスクＤよりも上方に位置し、ＣＤ層でフォーカスサーボを動作させるときの動作図を示している。
【０１４５】
まず、ＳＡＣＤ  Ｈｙｂｒｉｄであると判別した際に、ＨＤ層での反射光量とＣＤ層での反射光量での反射光量が特定できているので、前記ＣＤ層での反射光量よりも少し小さい値を反射光量再生閾値１５１０に設定する。その後、光ディスクＤの上方から下方へとディスクサーチを行う。ここで、前記反射光量再生閾値１５１０以上となる反射光量１５０１を計測し、かつフォーカスエラー信号ＦＥが「０」となったスポット位置からフォーカスサーボのサーボ動作を開始する。
【０１４６】
図１５に示した光ディスク信号再生方法では、図１４の方法と比較して、無駄なディスクサーチを必要とせずに、所望のＣＤ層においてフォーカスサーボを開始することが可能となり、フォーカスサーボの動作開始までの時間が短縮されると共に、より一層ＣＤ層でフォーカスサーボを動作させることが可能となる。
【０１４７】
尚、ＨＤ層で的確にフォーカスサーボを動作させるためには、図１４に示した光ディスク信号再生方法を用いる必要がある。
【産業上の利用可能性】
【０１４８】
本発明は、複数のデータ記録層の各々の反射率間の比率が一定の比率を持つ光ディスクの光ディスク信号処理方法及び光ディスク信号再生方法並びに光ディスク信号処理装置等として有用である。
【図面の簡単な説明】
【０１４９】
【図１】本発明の実施形態の光ディスク信号処理装置の全体構成を示すブロック図である。
【図２】同光ディスク信号処理装置におけるレーザーピックアップの全体構成を示すブロック図である。
【図３】同光ディスク信号処理装置における制御装置の全体構成を示すブロック図である。
【図４】（ａ）はＣＤの断面図、同図（ｂ）はＳＡＣＤ  Ｈｙｂｒｉｄの断面図、同図（ｃ）は２層ＤＶＤの断面図、同図（ｄ）は１層ＤＶＤの断面図である。
【図５】本発明の第１の実施形態の光ディスク信号処理フロー図である。
【図６】（ａ）は同光ディスク信号処理装置でのディスクサーチ中のフォーカスドライブの駆動値、同図（ｂ）は同光ディスク信号処理装置のレーザーのスポット位置、同図（ｃ）はＳＡＣＤ  Ｈｙｂｒｉｄでの反射光量、同図（ｄ）は１層ＤＶＤでの反射光量、同図（ｄ’）は２層ＤＶＤでの反射光量、同図（ｅ）はＣＤでの反射光量を示す図である。
【図７】（ａ）は同光ディスク信号処理装置での反射光量閾値の再設定時のディスクサーチ中のフォーカスドライブの駆動値、同図（ｂ）はＣＤでの反射光量を示す図である。
【図８】本発明の第２の実施形態の光ディスク信号処理フロー図である。
【図９】（ａ）は同光ディスク信号処理装置でのディスクサーチ中のフォーカスドライブの駆動値、同図（ｂ）はＳＡＣＤ  Ｈｙｂｒｉｄでの反射光量、同図（ｃ）はＣＤでの反射光量を示す図である。
【図１０】面ブレディスクのデータ記録層と同光ディスク信号処理装置の対物レンズとの位置関係を示した概略図である。
【図１１】（ａ）は面ブレディスクとスポット位置との位置関係を示した概略図、（ｂ）はディスクサーチ中のフォーカスドライブの駆動値、（ｃ）はデータ記録層を１つだけ有する光ディスクでの反射光量を示す図である。
【図１２】（ａ）は同光ディスク信号処理装置のフォトディテクタの概略図、同図（ｂ）はディスク距離変位量が「０」の場合の反射光の形状図、同図（ｃ）はディスク距離変位量が「マイナスの値」の場合の反射光の形状図、同図（ｄ）はディスク距離変位量が「プラスの値」の場合の反射光の形状図、同図（ｅ）はディスク距離変位量とフォーカスエラー信号との関係を示す図、同図（ｆ）はディスク距離変位量と反射光量との関係を示す図である。
【図１３】（ａ）は従来の光ディスク信号再生方法での光ディスク信号処理装置のフォーカスドライブの駆動値を示す図、同図（ｂ）はフォーカスエラー信号を示す図、同図（ｃ）はＳＡＣＤ  Ｈｙｂｒｉｄでの反射光量を示す図である。
【図１４】（ａ）は本発明の実施形態の光ディスク信号再生方法での光ディスク信号処理装置のフォーカスドライブの駆動値を示す図、同図（ｂ）はフォーカスエラー信号を示す図、同図（ｃ）はＳＡＣＤ  Ｈｙｂｒｉｄでの反射光量を示す図である。
【図１５】（ａ）は本発明の他の実施形態の光ディスク信号再生方法での光ディスク信号処理装置のフォーカスドライブの駆動値を示す図、同図（ｂ）はフォーカスエラー信号を示す図、同図（ｃ）はＳＡＣＤ  Ｈｙｂｒｉｄでの反射光量を示す図である。
【符号の説明】
【０１５０】
１００                光ディスク信号処理装置
１１０                レーザーピックアップ（レーザー出力手段）
１１１                レーザーダイオード
１１２                対物レンズ
１１３                トラッキングサーボ
１１４                フォーカスサーボ
１１５                フォトディテクタ
１２０                ピックアップ送り機構
１３０                ディスクモータ
１４０                制御装置
１４１                ディスク種類判別部
１４２                回転駆動出力部
１４３                ＬＤ駆動出力部
１４４                駆動制御部
１４５                フォーカスドライブ出力部
１４６                ピックアップ送り駆動出力部
１４７                トラッキングドライブ出力部
１４８                反射光量受信部
１４９                反射光量検出閾値検出部
１５０                最大反射光量検出部
１５１                最大反射光量保存部
１５２                層判別閾値検査部
１５３                フォーカスサーボ駆動部
Ｓ５０５              第１の反射光量比較ステップ、第１の反射光量記憶ステップ
Ｓ５０６              第２の反射光量比較ステップ、第２の反射光量記憶ステップ
Ｓ５０７、Ｓ８１２    反射光量比較ステップ
Ｓ５０８、Ｓ８１３    種別判断ステップ
Ｓ５１０              表面反射判断ステップ
Ｓ８０６〜Ｓ８１１    反射光量計測ステップ、最大反射光量記憶ステップ
１４１０、１５１０    反射光量再生閾値
【図１】
2007311005.tif 000003
【図２】
2007311005.tif 000004
【図３】
2007311005.tif 000005
【図４】
2007311005.tif 000006
【図５】
2007311005.tif 000007
【図６】
2007311005.tif 000008
【図７】
2007311005.tif 000009
【図８】
2007311005.tif 000010
【図９】
2007311005.tif 000011
【図１０】
2007311005.tif 000012
【図１１】
2007311005.tif 000013
【図１２】
2007311005.tif 000014
【図１３】
2007311005.tif 000015
【図１４】
2007311005.tif 000016
【図１５】
2007311005.tif 000017